(57)【特許請求の範囲】
【請求項１】
構造物の上部から垂下された吊下げ用索条により作業床を備えるゴンドラを昇降可能に吊り下げ、当該ゴンドラの揺れを防止するよう前記構造物側面に沿ってガイドするゴンドラ用仮設ガイド装置であって、
前記構造物の上部から前記ゴンドラの作業範囲の下部にわたって張力を付与した状態で設置される非金属繊維ロープで構成した仮設ガイドロープと、
この張力が付与された仮設ガイドロープを間隔をあけて複数箇所で前記構造物に固定する固定部材と、
前記ゴンドラに設けられ前記仮設ガイドロープに沿って摺動可能に装着されるとともに、前記固定部材を乗越え可能な摺動ガイド部材とを備えることを特徴とするゴンドラ用仮設ガイド装置。
【請求項２】
前記固定部材には、張力が付与された状態の前記仮設ガイドロープに食い込んでずれを防止するずれ防止部材が設けられていることを特徴とする請求項１記載のゴンドラ用仮設ガイド装置。
【請求項３】
前記固定部材は、金属製薄板を折り曲げ加工して形成され、前記ずれ防止部材を折り起こして一体に形成してなることを特徴とする請求項１または２記載のゴンドラ用仮設ガイド装置。
【請求項４】
前記摺動ガイド部材を、半割状態の一対の円筒体で構成するとともに、これら一対の半円筒体をヒンジで開閉可能に連結して構成したことを特徴とする請求項１〜３のいずれかに記載のゴンドラ用仮設ガイド装置。
【請求項５】
構造物の上部から垂下された吊下げ用索条により作業床を備えるゴンドラを昇降可能に吊り下げ、当該ゴンドラの揺れを防止するよう前記構造物側面に沿ってガイドするゴンドラ用仮設ガイド方法であって、
前記構造物の上部から前記ゴンドラの作業範囲の下部にわたって非金属繊維ロープで構成した仮設ガイドロープを配置した後、この仮設ガイドロープに張力を付与し、この張力を付与した状態で当該仮設ガイドロープを間隔をあけて複数箇所で前記構造物に固定部材で固定する一方、
この仮設ガイドロープに沿って摺動するとともに、前記固定部材を乗越え可能な摺動ガイド部材を前記ゴンドラに設けて前記固定部材間の前記仮設ガイドロープのたわみを抑えてガイドするようにしたことを特徴とするゴンドラ用仮設ガイド方法。
【請求項６】
前記固定部材に、前記仮設ガイドロープにくい込むずれ防止部材を設けてずれによるたわみを防止してガイドするようにしたことを特徴とする請求項５記載のゴンドラ用仮設ガイド方法。
【発明の詳細な説明】
【技術分野】
【０００１】
この発明はゴンドラ用仮設ガイド装置および方法に関し、作業床を備えるゴンドラを昇降しながら構造物側面に対して作業を行う場合の揺れなどを防止できるようにしたもので、簡単に仮設できるとともに、安定して作業を行うことができるようにしたもので、特にマンションなどの集合住宅での作業に好適なものである。
【背景技術】
【０００２】
建築物などの構造物における窓清掃や外壁面の保守点検作業などを効率的に行う場合に、仮設足場を設置して作業を行うのに替え、構造物の上部から吊りロープを垂下して設け、この吊りロープを介して、いわゆるゴンドラと称する有人作業用のケージ（作業床）を昇降可能に吊り下げて仮設し、この作業用のケージに作業者が搭乗して作業を行うようにする仮設ゴンドラ装置を用いることが行なわれている。
【０００３】
このような仮設ゴンドラ装置による作業では、作業用のケージが吊りロープで吊り下げられるため揺れが生じ、壁面に対する作業に伴う反力により揺れが助長され、作業がやり難い。
【０００４】
そこで、高層ビルなどでは、予めビルを構築する際に、壁面にガイドレールを設置しておき、作業用のケージに設けたガイドローラをガイドレールに沿って転動させて昇降することで揺れを防止することが行なわれる場合も多いが、中低層ビルやマンションなどの集合住宅では、ガイドレールが設置されていない場合も多く、例えば特許文献1に開示されているような壁面に吸着させる真空吸着パッドなどを用いて仮設ゴンドラ装置の有人作業用のケージとワイヤロープやアーム機構などで連結することで、揺れを防止することが行なわれている。
【０００５】
また、ワイヤロープの上端を構造物の屋上などに固縛するとともに、側面と沿って配置し、ワイヤロープの下端を地上に配置してカウンタウエイトやレバーブロックなどで張力を加えた状態とし、この張力を加えたワイヤロープに沿って摺動するスライダを介して作業用のケージと連結ロープで連結することで、揺れを防止するガイドとすることも行われている。
【特許文献１】実開平５―３０３３８号公報
【発明の開示】
【発明が解決しようとする課題】
【０００６】
ところが、構造物の壁面に吸着させる真空吸着パッドを用いて作業用のケージの揺れを防止する場合には、これらの間を連結するワイヤロープを長くすると、作業用のケージの揺れを有効に防止しすることができなくなり、このワイヤロープを短くして揺れを防止しやすくしたり、特許文献１のようにアーム機構とすると、真空吸着パッドを吸着させた状態で作業できる範囲が限定され、たびたび真空吸着パッドの盛り替えをしなければならず、作業効率が悪いという問題がある。
【０００７】
また、屋上と地上との間に張力を加えたワイヤロープを仮設・設置して揺れを防止するガイドとして利用する場合には、スライダを移動させるためワイヤロープの中間部を固定支持することができず、構造物が高なくなればなるほどワイヤロープが長くなってたわみが大きくなり、揺れを有効に防止できなくなってしまうという問題がある。
【０００８】
この発明は、上記従来技術が有する課題に鑑みてなされたもので、簡単に仮設でき、たわみを少なくして揺れを有効に防止しながら作業することができるゴンドラ用仮設ガイド装置および方法を提供しようとするものである。
【課題を解決するための手段】
【０００９】
上記課題を解決するためこの発明の請求項１にかかるゴンドラ用仮設ガイド装置は、構造物の上部から垂下された吊下げ用索条により作業床を備えるゴンドラを昇降可能に吊り下げ、当該ゴンドラの揺れを防止するよう前記構造物側面に沿ってガイドするゴンドラ用仮設ガイド装置であって、前記構造物の上部から前記ゴンドラの作業範囲の下部にわたって張力を付与した状態で設置される非金属繊維ロープで構成した仮設ガイドロープと、この張力が付与された仮設ガイドロープを間隔をあけて複数箇所で前記構造物に固定する固定部材と、前記ゴンドラに設けられ前記仮設ガイドロープに沿って摺動可能に装着されるとともに、前記固定部材を乗越え可能な摺動ガイド部材とを備えることを特徴とするものである。
【００１０】
このゴンドラ用仮設ガイド装置によれば、構造物の上部からゴンドラの作業範囲の下部にわたって張力を付与した状態で非金属繊維ロープで構成した仮設ガイドロープを設置し、この張力が付与された仮設ガイドロープを間隔をあけて複数箇所で固定部材で構造物に固定しておき、ゴンドラには、仮設ガイドロープに沿って摺動可能に装着されるとともに、固定部材を乗越え可能な摺動ガイド部材を設けるようにしており、仮設ガイドロープのたわみを固定部材間で抑えることができ、固定部材を乗り越えることができる摺動ガイド部材によって作業範囲の制約をなくすようにでき、間隔を狭め張力を加えた状態の仮設ガイドロープによってゴンドラの揺れを極力防止できるようにしている。
【００１１】
また、この発明の請求項２にかかるゴンドラ用仮設ガイド装置は、請求項１記載の構成に加え、前記固定部材には、張力が付与された状態の前記仮設ガイドロープに食い込んでずれを防止するずれ防止部材が設けられていることを特徴とするものである。
【００１２】
このゴンドラ用仮設ガイド装置によれば、前記固定部材には、張力が付与された状態の前記仮設ガイドロープに食い込んでずれを防止するずれ防止部材が設けてあり、ずれ防止部材を仮設ガイドロープに食い込ませることで、たわみを抑えることができ、一層確実にゴンドラの揺れを防止できるようになる。
【００１３】
さらに、この発明の請求項３にかかるゴンドラ用仮設ガイド装置は、請求項１または２記載の構成に加え、前記固定部材は、金属製薄板を折り曲げ加工して形成され、前記ずれ防止部材を折り起こして一体に形成してなることを特徴とするものである。
【００１４】
このゴンドラ用仮設ガイド装置によれば、前記固定部材は、金属製薄板を折り曲げ加工して形成され、前記ずれ防止部材を折り起こして一体に形成してあり、固定部材を金属製薄板とすることで、摺動ガイド部材を乗り越えさせることが容易となるとともに、ずれ防止部材を折り起こすことで簡単に形成し、確実に食い込ませることができるようになる。
【００１５】
また、この発明の請求項４にかかるゴンドラ用仮設ガイド装置は、請求項１〜３のいずれかに記載の構成に加え、前記摺動ガイド部材を、半割状態の一対の円筒体で構成するとともに、これら一対の半円筒体をヒンジで開閉可能に連結して構成したことを特徴とするものである。
【００１６】
このゴンドラ用仮設ガイド装置によれば、前記摺動ガイド部材を、半割状態の一対の円筒体で構成するとともに、これら一対の半円筒体をヒンジで開閉可能に連結して構成してあり、摺動ガイド部材を一対の半円筒体で構成することで、隙間を利用して固定部材を乗り越えさせることができ、ヒンジで連結することで、バラバラにならず、落下などを防止して組み立てることができるようになる。
【００１７】
さらに、この発明の請求項５にかかるゴンドラ用仮設ガイド方法は、構造物の上部から垂下された吊下げ用索条により作業床を備えるゴンドラを昇降可能に吊り下げ、当該ゴンドラの揺れを防止するよう前記構造物側面に沿ってガイドするゴンドラ用仮設ガイド方法であって、前記構造物の上部から前記ゴンドラの作業範囲の下部にわたって非金属繊維ロープで構成した仮設ガイドロープを配置した後、この仮設ガイドロープに張力を付与し、この張力を付与した状態で当該仮設ガイドロープを間隔をあけて複数箇所で前記構造物に固定部材で固定する一方、  この仮設ガイドロープに沿って摺動するとともに、前記固定部材を乗越え可能な摺動ガイド部材を前記ゴンドラに設けて前記固定部材間の前記仮設ガイドロープのたわみを抑えてガイドするようにしたことを特徴とするものである。
【００１８】
このゴンドラ用仮設ガイド方法によれば、構造物の上部からゴンドラの作業範囲の下部にわたって非金属繊維ロープで構成した仮設ガイドロープを配置した後、この仮設ガイドロープに張力を付与し、この張力を付与した状態で当該仮設ガイドロープを間隔をあけて複数箇所で前記構造物に固定部材で固定する一方、  この仮設ガイドロープに沿って摺動するとともに、前記固定部材を乗越え可能な摺動ガイド部材を前記ゴンドラに設けて前記固定部材間の前記仮設ガイドロープのたわみを抑えてガイドするようにしており、仮設ガイドロープのたわみを張力を加えることおよび固定部材間で抑えることができ、固定部材を乗り越えることができる摺動ガイド部材によって作業範囲の制約をなくし、間隔を狭め張力を加えた状態の仮設ガイドロープによってゴンドラの揺れを極力防止できるようにしている。
【００１９】
また、この発明の請求項６にかかるゴンドラ用仮設ガイド方法は、請求項５記載の構成に加え、前記固定部材に、前記仮設ガイドロープにくい込むずれ防止部材を設けてずれによるたわみを防止してガイドするようにしたことを特徴とするものである。
【００２０】
このゴンドラ用仮設ガイド方法によれば、前記固定部材に、前記仮設ガイドロープにくい込むずれ防止部材を設けてずれによるたわみを防止してガイドするようにしており、ずれ防止部材を仮設ガイドロープに食い込ませることで、間隔を狭め張力を加えた状態の仮設ガイドロープによってゴンドラの揺れを一層防止できるようにしている。
【発明の効果】
【００２１】
この発明の請求項１にかかるゴンドラ用仮設ガイド装置によれば、構造物の上部から垂下された吊下げ用索条により作業床を備えるゴンドラを昇降可能に吊り下げ、当該ゴンドラの揺れを防止するよう前記構造物側面に沿ってガイドするゴンドラ用仮設ガイド装置であって、前記構造物の上部から前記ゴンドラの作業範囲の下部にわたって張力を付与した状態で設置される非金属繊維ロープで構成した仮設ガイドロープと、この張力が付与された仮設ガイドロープを間隔をあけて複数箇所で前記構造物に固定する固定部材と、前記ゴンドラに設けられ前記仮設ガイドロープに沿って摺動可能に装着されるとともに、前記固定部材を乗越え可能な摺動ガイド部材とを備えるようにしたので、仮設ガイドロープのたわみを張力を加えることおよび固定部材間で抑えることができ、固定部材を乗り越えることができる摺動ガイド部材によって作業範囲の制約をなくすことができるとともに、間隔を狭め張力を加えた状態の仮設ガイドロープによってゴンドラの揺れを極力防止することができる。
【００２２】
また、この発明の請求項２にかかるゴンドラ用仮設ガイド装置によれば、前記固定部材には、張力が付与された状態の前記仮設ガイドロープに食い込んでずれを防止するずれ防止部材が設けてあるので、ずれ防止部材を仮設ガイドロープに食い込ませることで、たわみを確実に抑えることができ、一層ゴンドラの揺れを防止することができる。
【００２３】
さらに、この発明の請求項３にかかるゴンドラ用仮設ガイド装置によれば、前記固定部材は、金属製薄板を折り曲げ加工して形成され、前記ずれ防止部材を折り起こして一体に形成したので、固定部材を金属製薄板とすることで、摺動ガイド部材を乗り越えさせることが容易となるとともに、ずれ防止部材を折り起こすことで簡単に形成し、確実に食い込ませることができる。
【００２４】
また、この発明の請求項４にかかるゴンドラ用仮設ガイド装置によれば、前記摺動ガイド部材を、半割状態の一対の円筒体で構成するとともに、これら一対の半円筒体をヒンジで開閉可能に連結して構成したので、摺動ガイド部材を一対の半円筒体で構成することで、隙間を利用して固定部材を乗り越えさせることが簡単にでき、ヒンジで連結することで、バラバラにならず、落下などを防止して組み立てることができる。
【００２５】
さらに、この発明の請求項５にかかるゴンドラ用仮設ガイド方法によれば、構造物の上部から垂下された吊下げ用索条により作業床を備えるゴンドラを昇降可能に吊り下げ、当該ゴンドラの揺れを防止するよう前記構造物側面に沿ってガイドするゴンドラ用仮設ガイド方法であって、前記構造物の上部から前記ゴンドラの作業範囲の下部にわたって非金属繊維ロープで構成した仮設ガイドロープを配置した後、この仮設ガイドロープに張力を付与し、この張力を付与した状態で当該仮設ガイドロープを間隔をあけて複数箇所で前記構造物に固定部材で固定する一方、  この仮設ガイドロープに沿って摺動するとともに、前記固定部材を乗越え可能な摺動ガイド部材を前記ゴンドラに設けて前記固定部材間の前記仮設ガイドロープのたわみを抑えてガイドするようにしたので、仮設ガイドロープのたわみを張力を加えることおよび固定部材間で抑えることができ、固定部材を乗り越えることができる摺動ガイド部材によって作業範囲の制約をなくすことができるとともに、間隔を狭め張力を加えた状態の仮設ガイドロープによってゴンドラの揺れを極力防止することができる。
【００２６】
また、この発明の請求項６にかかるゴンドラ用仮設ガイド方法によれば、前記固定部材に、前記仮設ガイドロープにくい込むずれ防止部材を設けてずれによるたわみを防止してガイドするようにしたので、ずれ防止部材を仮設ガイドロープに食い込ませることで、間隔を狭め張力を加えた状態の仮設ガイドロープによってゴンドラの揺れを一層確実に防止することができる。
【発明を実施するための最良の形態】
【００２７】
以下、この発明の一実施の形態を図面を参照して詳細に説明する。  
図１〜図５はこの発明のゴンドラ用仮設ガイド装置を有人作業用のケージを備えるゴンドラ装置に適用した一実施の形態にかかり、図１は全体の概略側面図、図２は全体の概略正面図、図３は拡大した概略側面図、図４は要部の概略斜視図、図５は要部の概略平面図である。
【００２８】
このゴンドラ用仮設ガイド装置１０は、例えば図１および図２に示すように、構造物である建築物１の屋上２などの上部から吊下げたワイヤロープ３を介して作業用ケージ（作業床）４を昇降させ、作業用ケージ４内から外壁の清掃や保守、あるいは窓の清掃など壁面（構造物側面）５に対する作業を行うゴンドラ装置６において、作業用ケージ４などの作業床の揺れを防止するためのものであり、壁面５に対する作業用ケージ４の作業範囲に、たとえば２本の非金属繊維ロープで構成した仮設ガイドロープ１１、１１を張力を加えた状態で複数の固定部材１２、１２、…で間隔をあけて固定して仮設するとともに、作業用ケージ４に設けた左右１対の摺動ガイド部材１３、１３を仮設ガイドロープ１１、１１に摺動可能かつ固定部材１２を乗り越え可能に装着して昇降させ、壁面に対する左右および前後の揺れを防止するようガイドする。
【００２９】
なお、このゴンドラ用仮設ガイド装置１０では、屋上から垂下するワイヤロープ３に沿って作業用ケージ４内に設けたエンドレス方式の巻上機７の巻き掛け位置を移動することで昇降させるゴンドラ装置６に適用した場合を図示したが、この形式のゴンドラ装置に限らず、屋上側にドラム方式など巻上機を備えて昇降するものやワイヤロープ３を屋上の台車に固定して移動可能とした台車式や固定式の支持装置でワイヤロープを支持するもの、あるいは仮設の横行レールを介してワイヤロープごと横移動も可能としたものなどにも適用できる。
【００３０】
このゴンドラ用仮設ガイド装置１０では、非金属繊維ロープで構成される仮設ガイドロープ１１、１１として、例えば合成繊維や天然繊維の繊維ロープが用いられる。
【００３１】
この非金属繊維ロープで構成した仮設ガイドロープ１１、１１は、図１に示すように、上端が建築物１の屋上などの上部に固縛され、下端が地上などのゴンドラ装置６による作業範囲の下部である地上付近に取り付けたブラケット１４に連結したレバーブロック１５によって張力を加えた状態で壁面５に沿って配索してある。
【００３２】
そして、この張力を加えた状態の仮設ガイドロープ１１、１１をたわませることなく作業用ケージ４をガイドさせるため、複数箇所で固定部材１２、１２、…を介して壁面５に固定され、間隔を狭めた状態で固定してある。
【００３３】
この固定部材１２は、図４中に示すように、金属製薄板を略２つに折り曲げるように曲げ加工することで形成され、仮設ガイドロープ１１を巻き込むように覆う略円筒状の巻き込み部１２ａの両端に板状の取り付け部１２ｂ，１２ｂが形成してある。そして、固定部材１２の巻き込み部１２ａには、略３角形状の２辺の打ち抜いた打ち抜き部が形成されて円周方向に沿う底辺から内側に突き出すように折り起されて３角形状の爪状のずれ防止部材１６が上下方向に３つ形成され、図示例のように、巻き込み部１２ａに対向するよう２列形成してあり、巻き込み部１２ａに仮設ガイドロープ１１を挟むようにすることで、非金属繊維ロープにずれ防止部材１６を食い込ませてずれないように固定することができるようにしてある。この固定部材１２の取り付け部１２ｂ、１２ｂには、それぞれ２つの取り付け孔が貫通して形成してある。
【００３４】
このような固定部材１２を構造物側面である壁面５に間隔をあけて取り付けるため壁面固定治具１７が用いられる。
【００３５】
この壁面固定治具１７は、建築物１の壁面５側の固定に利用できる部分の形状に合わせた壁面固定部１８と、固定部材１２を取り付けて固定する固定部１９とで構成され、ここでは、図３および図４に示すような構造物である建築物１側のＨ型鋼８の下端フランジ部８ａを利用して壁面固定部１８に固定部１９をボルト・ナット２０で固定するが、これに限らず、例えばベランダのフレームなどの形状に対応したものなどをボルト・ナットやアンカーボルトで固定するものを用意する。
【００３６】
この壁面固定治具１７の壁面固定部１８は、図３に側面状態を、図４に概略斜視状態を示すように、固定されるＨ型鋼８の下端フランジ部８ａの下面に当てる水平部１８ａを備え、この水平部１８ａの外側の端部に下方に突き出す垂直部１８ｂが設けられてＬ字状とされ、垂直部１８ｂと反対の水平部１８ａの内側の端部にＴ字状の当て部材１８ｃが取り付けられて下端ブランジ部８ａを水平部１８ａ上でコ字状に囲むことができるようになっている。そして、この壁面固定部１８の垂直部１８ｂに沿って固定部材１２を固定する固定部１９が間隔をあけて当てられてボルト・ナット２０で締め付けることができるようにしてある。
【００３７】
これにより、壁面固定部１８の当て部材１８ｃで下端フランジ部８ａの奥側を挟んで囲むようにし、下端フランジ部８ａの外側に壁面固定治具１７の固定部１９を壁面固定部１８の垂直部１８ｂに間隔をあけてボルト・ナット２０で締め付けることで、壁面５のＨ型鋼８に壁面固定部１８で挟んで固定することができる。
【００３８】
このような壁面固定治具１７の壁面固定部１８にボルト・ナット２０で取り付けられる固定部１９は、図３および図４に示すように、断面Ｌ字状とされて当て板部１９ａが構造物の壁面５側に配置されてボルト・ナット２０で取り付けられ、これと垂直の突出板１９ｂには、固定部材１２の取り付け部１２ｂの取り付け穴に対応した貫通孔が形成され、貫通孔の外側にナット１９ｃが溶接で取り付けてある。また、突出板１９ｂの内側には、ヒンジ１９ｄを介して回動板１９ｅが取り付けられ、回動板１９ｅの内側に、図５に示すように、ボルト保持ナット１９ｆが溶接で取り付けられ、先端の円筒部と基端のねじ部を備えている。
【００３９】
このボルト保持ナット１9ｆには、図５に示すように、固定ボルト２１がねじ込まれ、突出板１９ｂと回動板１９ｅの間に挟んだ固定部材１２をナット１９ｃとで固定できるようになっている。この固定ボルト２１には、ナット１９ｃおよびボルト保持ナット１９ｆのねじ部に対応した雄ねじを先端に備えて雄ねじより小径の中間軸部を介して操作部が形成されて構成され、ボルト保持ナット１９ｆのねじ部に固定ボルト２１をねじ込むことで、突出板１９ｂの外側のナット１９ｃとねじ結合しない状態でも回動板１９ｅに固定ボルト２１を抜け落ちることなく保持できるようにしてある。これにより、高所作業でも固定ボルト２１の落下を防止して組み立て作業ができるようにしてある。
【００４０】
したがって、構造物である建築物１の上部に仮設ガイドロープ１１の一端を固縛し、他端を作業範囲の下部の地上付近のブラケット１４にレバーブロック１５を介して連結することで張力、例えば５００ｋｇ程度を加えた仮設ガイドロープ１１に、間隔をあけて複数箇所、例えば各階ごとに固定部材１２の巻き込み部１２ａに仮設ガイドロープ１１を入れて取り付け部１２ｂで挟むようにする。
【００４１】
すると、固定部材１２のずれ防止部材１６が繊維ロープに食い込み、仮設ガイドロープ１１を張力が加わった張った状態で保持することができる。
【００４２】
このような固定部材１２を、建築物１の各階のＨ型鋼８に予め取り付けた壁面固定治具１７の壁面固定部１８にボルト・ナット２０で締め付けた固定部１９の回動板１９ｅを開いて間に入れ、ボルト保持ナット１９ｆに保持されている固定ボルト２１で取り付ける。
【００４３】
これにより、各階ごとに上下が固定部材１２、１２で固定され、張力が加わった仮設ガイドロープ１１を張ることができ、仮設ガイドロープ１１に加えてある張力までは、たわみを発生させることなく揺れを防止することが可能となる。
【００４４】
次ぎに、作業床であるゴンドラ側である作業用ケージ４に設ける摺動ガイド部材１３は、図３〜図５に示すように、上下端部を斜めに切り欠いた円筒体を半割状にした２つの半円筒体１３ａ、１３ｂを備えて一対で構成され、一対の半円筒体１３ａ、１３ｂの先端縁間に隙間が形成され、固定部材１２の閉じた状態の取り付け部１２ｂを通過させて乗り越えることができるようにしてある。
【００４５】
この摺動ガイド部材１３を作業用ケージ４に取り付けるため、ケージ用固定治具２２が用いられ、下方が開口したコ字状に形成され、作業用ケージ４の水平な手摺４ａに上から被せるようにし、手摺４ａの下側に２本のボルトを挿通することで取り付けることができるようにしてある。
【００４６】
このケージ用固定治具２２には、建築物１の壁面側に突き出して垂直な固定板２２ａが溶接されるとともに、水平補強板２２ｂを溶接することで強固に取り付けてある。そして、この固定板２２ａの先端に摺動ガイド部材１３の一方の半円筒体１３ａの基端縁部が溶接して固定してある。
【００４７】
もう一方の半円筒体１３ｂは、固定板２２ａの内側面にヒンジ２２ｃを介して回動板２２ｄが垂直軸回りに開閉可能に取り付けられ、回動板２２ｄの先端縁に溶接して取り付けられ、回動板２２ｄを閉じた状態では、一対の半円筒体１３ａ、１３ｂの基端縁部が略接触し、先端縁部に固定部材１２を乗り越えることができる隙間が形成されるようにしてある。
【００４８】
そして、一対の半円筒体１３ａ、１３ｂを閉じた状態に保持するため、固定板２２ａに雌ねじ部２２ｅが形成され、回動板２２ｄの対応する位置に貫通孔が形成されてその外側にボルト保持ナット２２ｆが溶接してあり、固定ボルト２３で回動板２２ｄを締め付けて固定することができるとともに、固定ボルト２３の抜け落ちを防止することができるようにしてある。
【００４９】
このボルト保持ナット２２ｆには、先端の円筒部と基端のねじ部を備えており、図５に示すように、固定ボルト２３には、固定板２２ａの雌ねじ部およびボルト保持ナット２２ｆのねじ部に対応した雄ねじを先端に備えて雄ねじより小径の中間軸部を介して操作部が形成されて構成され、ボルト保持ナット２２ｆのねじ部に固定ボルト２３をねじ込むことで、固定板２２ａの雌ねじ部とねじ結合しない状態でも回動板２２ｄに固定ボルト２３を抜け落ちることなく保持できるようにしてある。これにより、高所作業でも固定ボルト２３の落下を防止して組み立て作業ができるようにしてある。
【００５０】
そこで、張力を付与した状態で張られた仮設ガイドロープ１１を、作業用ケージ４に取り付けた摺動ガイド部材１２の半割状の一対の半円筒体１３ａ、１３ｂで挟むようにした後、回動板２２ｄを固定ボルト２３で締付けて固定する。
【００５１】
これにより、作業用ケージ４を昇降すると、建築物１に固定された仮設ガイドロープ１１、１１に沿って作業用ケージ４に取り付けた摺動ガイド部材１２,１２が摺動することで、作業用ケージ４の揺れが防止される。
【００５２】
そして、仮設ガイドロープ１１が張力を付与した状態で、固定部材１２、１２、…で建築物１にそれぞれ取り付けてあるので、仮設ガイドロープ１１に作業用ケージ４からの荷重が加わっても仮設ガイドロープ11に加えた張力までは固定部材１２、１２間の張力によりほとんどたわませることなく、確実に揺れを支持することができる。
【００５３】
また、固定部材１２にずれ防止部材１６が設けてあるので、仮設ガイドロープ１１の繊維に食い込ませることで、張力が加わった状態でずれることなく確実に建築物１に固定支持することができる。
【００５４】
以上、実施の形態とともに、具体的に説明したように、この発明のゴンドラ用仮設ガイド装置１０によれば、仮設ガイドロープ１１のたわみを張力を加えることおよび固定部材１２，１２間で抑えることができ、固定部材１２、１２、…を乗り越えることができる摺動ガイド部材１３によって作業範囲の制約をなくすことができるとともに、間隔を狭め張力を加えた状態の仮設ガイドロープ１１によってゴンドラ４（６）の揺れを極力防止することができる。
【００５５】
また、この発明のゴンドラ用仮設ガイド装置１０によれば、固定部材１２には、張力が付与された状態の仮設ガイドロープ１１に食い込んでずれを防止するずれ防止部材１６が設けてあるので、ずれ防止部材１６を仮設ガイドロープ１１に食い込ませることで、たわみを確実に抑えることができ、一層ゴンドラ４（６）の揺れを防止することができる。
【００５６】
さらに、この発明のゴンドラ用仮設ガイド装置１０によれば、固定部材１２は、金属製薄板を折り曲げ加工して形成され、ずれ防止部材１６を折り起こして一体に形成したので、固定部材１２を金属製薄板とすることで、摺動ガイド部材１３を乗り越えさせることが容易となるとともに、ずれ防止部材１６を折り起こすことで簡単に形成し、確実に食い込ませることができる。
【００５７】
また、この発明のゴンドラ用仮設ガイド装置１０によれば、摺動ガイド部材１３を、半割状態の一対の円筒体１３ａ，１３ｂで構成するとともに、これら一対の半円筒体１３ａ，１３ｂをヒンジで開閉可能に連結して構成したので、摺動ガイド部材を一対の半円筒体で構成することで、隙間を利用して固定部材を乗り越えさせることが簡単にでき、ヒンジ２２ｃで連結することで、バラバラにならず、落下などを防止して組み立てることができる。
【００５８】
さらに、この発明のゴンドラ用仮設ガイド方法によれば、構造物の上部から垂下された吊下げ用索条により作業床を備えるゴンドラを昇降可能に吊り下げ、当該ゴンドラの揺れを防止するよう前記構造物側面に沿ってガイドするゴンドラ用仮設ガイド方法であって、前記構造物の上部から前記ゴンドラの作業範囲の下部にわたって非金属繊維ロープで構成した仮設ガイドロープを配置した後、この仮設ガイドロープに張力を付与し、この張力を付与した状態で当該仮設ガイドロープを間隔をあけて複数箇所で前記構造物に固定部材で固定する一方、  この仮設ガイドロープに沿って摺動するとともに、前記固定部材を乗越え可能な摺動ガイド部材を前記ゴンドラに設けて前記固定部材間の前記仮設ガイドロープのたわみを抑えてガイドするようにしたので、仮設ガイドロープ１１のたわみを張力を加えることおよび固定部材１２，１２間で抑えることができ、固定部材１２を乗り越えることができる摺動ガイド部材１３によって作業範囲の制約をなくすことができるとともに、間隔を狭め張力を加えた状態の仮設ガイドロープ１１によってゴンドラ４（６）の揺れを極力防止することができる。
【００５９】
また、この発明のゴンドラ用仮設ガイド方法によれば、固定部材１２に、仮設ガイドロープ１１にくい込むずれ防止部材１６を設けてずれによるたわみを防止してガイドするようにしたので、ずれ防止部材１６を仮設ガイドロープ１１に食い込ませることで、間隔を狭め張力を加えた状態の仮設ガイドロープ１１によってゴンドラ４（６）の揺れを一層確実に防止することができる。
【図面の簡単な説明】
【００６０】
【図１】この発明のゴンドラ用仮設ガイド装置を有人作業用のケージを備えるゴンドラ装置に適用した一実施の形態にかかる全体の概略側面図である。
【図２】この発明のゴンドラ用仮設ガイド装置を有人作業用のケージを備えるゴンドラ装置に適用した一実施の形態にかかる全体の概略正面図である。
【図３】この発明のゴンドラ用仮設ガイド装置を有人作業用のケージを備えるゴンドラ装置に適用した一実施の形態にかかる拡大した概略側面図である。
【図４】この発明のゴンドラ用仮設ガイド装置を有人作業用のケージを備えるゴンドラ装置に適用した一実施の形態にかかる要部の概略斜視図である。
【図５】この発明のゴンドラ用仮設ガイド装置を有人作業用のケージを備えるゴンドラ装置に適用した一実施の形態にかかる要部の概略平面図である。
【符号の説明】
【００６１】
１          建築物
２          屋上
３          ワイヤロープ
４          作業用ケージ（作業床）
４ａ        手摺
５          壁面（構造物側面）
６          ゴンドラ装置
７          巻上機
８          Ｈ型鋼
８ａ        下端フランジ部
１０        ゴンドラ用仮設ガイド装置
１１        仮設ガイドロープ（非金属繊維ロープ）
１２        固定部材
１２ａ      巻き込み部
１２ｂ      取り付け部
１３        摺動ガイド部材
１３ａ      半円筒体
１３ｂ      半円筒体
１４        ブラケット
１５        レバーブロック
１６        ずれ防止部材
１７        壁面固定治具
１８        壁面固定部
１８ａ      水平部
１８ｂ      垂直部
１８ｃ      当て部材
１９        固定部
１９ａ      当て板部
１９ｂ      突出部
１９ｃ      ナット
１９ｄ      ヒンジ
１９ｅ      回動板
１９ｆ      ボルト保持ナット
２０        ボルト・ナット
２１        固定ボルト
２２        ケージ用固定治具
２２ａ      固定板
２２ｂ      水平補強板
２２ｃ      ヒンジ
２２ｄ      回動板
２２ｅ      雌ねじ部
２２ｆ      ボルト保持ナット
２３        固定ボルト
【図１】
0004637921.tif 000002
【図２】
0004637921.tif 000003
【図３】
0004637921.tif 000004
【図４】
0004637921.tif 000005
【図５】
0004637921.tif 000006